(57)【要約】【課題】テレビ等の外部装置が接続された場合でも、外部装置のスピーカーから音声が出力されることを防止すること。【解決手段】バータイプスピーカー１は、マイク９と、ＤＳＰ５と、マイクロコンピューター２と、を備える。ＤＳＰ５は、マイク９により集音された音声と、出力音声と、を比較する。マイクロコンピューター２は、ＤＳＰ５が、マイク９により集音された音声と、出力音声とが、同一の信号であり、且つ、音量差があると判断した場合、テレビ１０１のスピーカー１０２から音声が出力されないようにするための処理を行う。【選択図】図１
2019129388.tif 000002
【特許請求の範囲】
【請求項１】
外部装置と接続され、前記外部装置から入力された音声を出力する音声出力装置であって、
マイクと、
前記マイクにより集音された音声と、出力音声と、を比較する信号処理部と、
前記信号処理部が、前記マイクにより集音された音声と、出力音声とが、同一の信号であり、且つ、音量差があると判断した場合、前記外部装置のスピーカーから音声が出力されないようにするための処理を行う制御部と、
を備えることを特徴とする音声出力装置。
【請求項２】
前記制御部は、前記処理として、前記外部装置のスピーカーからの出力音量を下げるコマンドを前記外部装置に送信することを特徴とする請求項１に記載の音声出力装置。
【請求項３】
前記制御部は、前記処理として、前記外部装置のスピーカーからの出力音量を無音とするコマンドを前記外部装置に送信することを特徴とする請求項１又は２に記載の音声出力装置。
【請求項４】
前記コマンドは、リモコンコードであることを特徴とする請求項２又は３に記載の音声出力装置。
【請求項５】
前記制御部は、前記処理として、前記外部装置のスピーカーから音声が出力されていることを報知することを特徴とする請求項１に記載の音声出力装置。
【請求項６】
表示部をさらに備え、
前記制御部は、前記表示部に、前記外部装置のスピーカーから音声が出力されていることを表示することで、前記外部装置のスピーカーから音声が出力されていることを報知することを特徴とする請求項５に記載の音声出力装置。
【請求項７】
前記制御部は、前記信号処理部が、前記マイクにより集音された音声と、出力音声とが、同一の信号であり、且つ、音量差に加え音声遅延があると判断した場合、前記処理を行うことを特徴とする請求項１〜６のいずれか１項に記載の音声出力装値。
【請求項８】
外部装置と接続され、前記外部装置から入力された音声を出力する音声出力装置であって、
マイクと、
前記マイクにより集音された音声と、出力音声と、を比較する信号処理部と、
前記信号処理部が、出力音声以外のノイズがあると判断した場合、ノイズが低減されるようにするための処理を行う制御部と、
を備えることを特徴とする音声出力装置。
【請求項９】
前記制御部は、前記処理として、前記外部装置のスピーカーからの出力音量を下げるコマンドを前記外部装置に送信することを特徴とする請求項８に記載の音声出力装置。
【請求項１０】
前記制御部は、前記処理として、出力音声以外のノイズがあることを報知することを特徴とする請求項８に記載の音声出力装置。
【請求項１１】
表示部をさらに備え、
前記制御部は、前記表示部に、出力音声以外のノイズがあることを表示することで、出力音声以外のノイズがあることを報知することを特徴とする請求項１０に記載の音声出力装置。
【請求項１２】
前記制御部は、出力音声以外の平均ノイズレベルを記録することを特徴とする請求項９に記載の音声出力装置。
【請求項１３】
前記制御部は、自装置が電源オンからスタンバイとなる場合に、記録した平均ノイズレベルとなるように、前記外部装置のスピーカーからの出力音量を上げるコマンドを前記外部装置に送信することを特徴とする請求項１２に記載の音声出力装置。
【請求項１４】
外部装置と接続され、前記外部装置から入力された音声を出力する音声出力装置であって、
前記外部装置からの音声信号の入力の有無を検出する検出部と、
前記検出部が、音声信号の入力があると判断した場合、前記外部装置のスピーカーからの出力音量を下げるコマンドを前記外部装置に送信する制御部と、
を備えることを特徴とする音声出力装置。
【発明の詳細な説明】
【技術分野】
【０００１】
本発明は、音声を出力する音声出力装置に関する。
【背景技術】
【０００２】
音声を出力する音声出力装置として、例えば、テレビに接続され、テレビから出力される音声信号を増幅するバータイプのスピーカー装置（以下、「バータイプスピーカー」という。）がある。従来のバータイプスピーカー等では、テレビからの音声信号出力を入力するポートとして、光オーディオ入力、アナログオーディオ入力を搭載するものが多く存在する。光オーディオ入力、アナログオーディオ入力は、テレビとの接続状態によって連動する機能を持っておらず、バータイプスピーカーをテレビに接続していても、テレビのスピーカーから音が出てしまう。これにより、本来のバータイプスピーカーのスピーカー出力のみでチューニングされた音声とは違った状態で、ユーザーが使ってしまうことになる。
【０００３】
また、バータイプスピーカーにボイスアシスタント機能を搭載し、音声認識を行う際に、ユーザーの声を正確に認識するために、マイクに入った音声から、バータイプスピーカーのスピーカー出力をキャンセルするエコーキャンセルが働く（例えば、特許文献１参照。）。しかしながら、テレビのスピーカーとバータイプスピーカーのスピーカーとの両方から音声が出力されている場合、シンプルなエコーキャンセルのみでは、テレビのスピーカーから出力されている音声がキャンセルできず、ユーザーの声を正確に認識することができないことが頻発することになりうる。
【先行技術文献】
【特許文献】
【０００４】
【特許文献１】特開２０１０−０４１１８８号公報
【発明の概要】
【発明が解決しようとする課題】
【０００５】
上述したように、テレビがバータイプスピーカーに接続された状態で、テレビのスピーカーから音声が出力されると、様々な問題が発生する。
【０００６】
本発明の目的は、テレビ等の外部装置が接続された場合でも、外部装置のスピーカーから音声が出力されることを防止することである。
【課題を解決するための手段】
【０００７】
第１の発明の音声出力装置は、外部装置と接続され、前記外部装置から入力された音声を出力する音声出力装置であって、マイクと、前記マイクにより集音された音声と、出力音声と、を比較する信号処理部と、前記信号処理部が、前記マイクにより集音された音声と、出力音声とが、同一の信号であり、且つ、音量差があると判断した場合、前記外部装置のスピーカーから音声が出力されないようにするための処理を行う制御部と、を備えることを特徴とする。
【０００８】
本発明では、制御部は、信号処理部が、マイクにより集音された音声と、出力音声とが、同一の信号であり、且つ、音量差があると判断した場合、外部装置のスピーカーから音声が出力されないようにするための処理を行う。これにより、外部装置のスピーカーから音声が出力されることを防止することができる。
【０００９】
第２の発明の音声出力装置は、第１の発明の音声出力装置において、前記制御部は、前記処理として、前記外部装置のスピーカーからの出力音量を下げるコマンドを前記外部装置に送信することを特徴とする。
【００１０】
本発明では、制御部は、処理として、外部装置のスピーカーからの出力音量を下げるコマンドを外部装置に送信する。これにより、外部装置のスピーカーから音声が出力されることを防止することができる。
【００１１】
第３の発明の音声出力装置は、第１又は第２の発明の音声出力装置において、前記制御部は、前記処理として、前記外部装置のスピーカーからの出力音量を無音とするコマンドを前記外部装置に送信することを特徴とする。
【００１２】
本発明では、制御部は、処理として、外部装置のスピーカーからの出力音量を無音とするコマンドを外部装置に送信する。これにより、外部装置のスピーカーから音声が出力されることを防止することができる。
【００１３】
第４の発明の音声出力装置は、第２又は第３の発明の音声出力装置において、前記コマンドは、リモコンコードであることを特徴とする。
【００１４】
第５の発明の音声出力装置は、第１の発明の音声出力装置において、前記制御部は、前記処理として、前記外部装置のスピーカーから音声が出力されていることを報知することを特徴とする。
【００１５】
第６の発明の音声出力装置は、第５の発明の音声出力装置において、表示部をさらに備え、前記制御部は、前記表示部に、前記外部装置のスピーカーから音声が出力されていることを表示することで、前記外部装置のスピーカーから音声が出力されていることを報知することを特徴とする。
【００１６】
第７の発明の音声出力装置は、第１〜第６のいずれかの発明の音声出力装置において、前記制御部は、前記信号処理部が、前記マイクにより集音された音声と、出力音声とが、同一の信号であり、且つ、音量差に加え音声遅延があると判断した場合、前記処理を行うことを特徴とする。
【００１７】
第８の発明の音声出力装置は、外部装置と接続され、前記外部装置から入力された音声を出力する音声出力装置であって、マイクと、前記マイクにより集音された音声と、出力音声と、を比較する信号処理部と、前記信号処理部が、出力音声以外のノイズがあると判断した場合、ノイズが低減されるようにするための処理を行う制御部と、を備えることを特徴とする。
【００１８】
本発明では、制御部は、信号処理部が、出力音声以外のノイズがあると判断した場合、ノイズが低減されるようにするための処理を行う。これにより、ノイズを低減することができる。
【００１９】
第９の発明の音声出力装置は、第８の発明の音声出力装置において、前記制御部は、前記処理として、前記外部装置のスピーカーからの出力音量を下げるコマンドを前記外部装置に送信することを特徴とする。
【００２０】
本発明では、制御部は、処理として、外部装置のスピーカーからの出力音量を下げるコマンドを外部装置に送信する。これにより、外部装置から音声が出力されることが防止され、ノイズを低減することができる。
【００２１】
第１０の発明の音声出力装置は、第８の発明の音声出力装置において、前記制御部は、前記処理として、出力音声以外のノイズがあることを報知することを特徴とする。
【００２２】
第１１の発明の音声出力装置は、第１０の発明の音声出力装置において、表示部をさらに備え、前記制御部は、前記表示部に、出力音声以外のノイズがあることを表示することで、出力音声以外のノイズがあることを報知することを特徴とする。
【００２３】
第１２の発明の音声出力装置は、第９の発明の音声出力装置において、前記制御部は、出力音声以外の平均ノイズレベルを記録することを特徴とする。
【００２４】
第１３の発明の音声出力装置は、第１２の発明の音声出力装置において、前記制御部は、自装置が電源オンからスタンバイとなる場合に、記録した平均ノイズレベルとなるように、前記外部装置のスピーカーからの出力音量を上げるコマンドを前記外部装置に送信することを特徴とする。
【００２５】
本発明では、制御部は、自装置が電源オンからスタンバイとなる場合に、記録した平均ノイズレベルとなるように、外部装置のスピーカーからの出力音量を上げるコマンドを外部装置に送信する。これにより、音声出力装置の使用が止められた後、下げられていた外部装置の音量が元の音量に戻される。
【００２６】
第１４の発明の音声出力装置は、外部装置と接続され、前記外部装置から入力された音声を出力する音声出力装置であって、前記外部装置からの音声信号の入力の有無を検出する検出部と、前記検出部が、音声信号の入力があると判断した場合、前記外部装置のスピーカーからの出力音量を下げるコマンドを前記外部装置に送信する制御部と、を備えることを特徴とする。
【００２７】
本発明では、制御部は、検出部が、音声信号の入力があると判断した場合、外部装置のスピーカーからの出力音量を下げるコマンドを外部装置に送信する。これにより、外部装置からの音声信号の入力がある場合、外部装置のスピーカーからも音声が出力されている可能性があるが、これが防止される。
【発明の効果】
【００２８】
本発明によれば、外部装置のスピーカーから音声が出力されることを防止することができる。
【図面の簡単な説明】
【００２９】
【図１】本発明の実施形態に係るバータイプスピーカーの構成を示すブロック図である。
【図２】テレビのスピーカーから音声が出力されているか否かを判断する処理動作を示すフローチャートである。
【図３】第２実施形態でのバータイプスピーカーの基本的な処理動作を示すフローチャートである。
【図４】スタンバイから電源オンとなる場合のバータイプスピーカーの処理動作を示すフローチャートである。
【図５】電源オンからスタンバイとなる場合のバータイプスピーカーの処理動作を示すフローチャートである。
【図６】第３実施形態でのバータイプスピーカーの基本的な処理動作を示すフローチャートである。
【発明を実施するための形態】
【００３０】
以下、本発明の実施形態について説明する。
【００３１】
（第１実施形態）
図１は、本実施形態に係るバータイプスピーカーの構成を示すブロック図である。バータイプスピーカー１（音声出力装置）は、テレビ１０１（外部装置）に接続される。バータイプスピーカー１は、テレビ１０１から入力された音声を増幅等し、スピーカー８から出力する。図１に示すように、バータイプスピーカー１は、マイクロコンピューター２、入力ポート３、ＤＩＲ（Digital Interface Receiver）４、ＤＳＰ（Digital Signal Processor）５、Ｄ／Ａコンバーター（以下、「ＤＡＣ」という。）６、増幅回路７、スピーカー８、マイク９、表示部１０、赤外線送信部１１等を備える。なお、図１において、実線の矢印は、音声信号の流れを、破線の矢印は、制御信号の流れを示している。
【００３２】
マイクロコンピューター２（制御部）は、ＣＰＵ（Central Processing Unit）、ＲＯＭ（Read Only Memory）、ＲＡＭ（Random Access Memory）、入出力インターフェース等のハードウェアから構成されている。ＣＰＵは、ＲＯＭに格納されたプログラムに従って、バータイプスピーカー１を構成する各部を制御する。すなわち、マイクロコンピューター２は、バータイプスピーカー１を構成する各部を制御する。ＲＡＭは、ＣＰＵが各種制御処理を実行する際にＲＯＭから読み出したプログラム、ＣＰＵが各種制御処理を実行する際に必要なデータ等を一時的に記憶する。ＲＡＭは、電源の供給が遮断されると、記憶しているデータが消失する揮発性メモリである。
【００３３】
入力ポート３は、光オーディオ入力、アナログオーディオ入力等である。入力ポート３は、テレビ１０１の音声出力ポートに接続される。入力ポート３に入力されたデジタル音声信号（ＳＰＤＩＦ信号）は、ＤＩＲ４に出力される。ＤＩＲ４は、ＳＰＤＩＦ信号をＩ２Ｓ信号に変換する。ＤＩＲ４により変換されたＩ２Ｓ信号は、ＤＳＰ５に出力される。ＤＳＰ５（信号処理部）は、Ｉ２Ｓ信号に、イコライザー処理等の信号処理を行う。ＤＳＰ５により信号処理が行われたＩ２Ｓ信号は、ＤＡＣ６に出力される。ＤＡＣ６は、Ｉ２Ｓ信号をアナログ音声信号にＤ／Ａ変換する。ＤＡＣ６によりＤ／Ａ変換されたアナログ音声信号は、増幅回路７に出力される。増幅回路７は、アナログ音声信号を増幅し、増幅したアナログ音声信号をスピーカー８に出力する。スピーカー８は、アナログ音声信号に基づいて、音声を出力する。なお、本実施形態では、ＤＡＣ６とアナログの増幅回路７とが用いられているが、これらに替えて、デジタルアンプが用いられていてもよい。
【００３４】
マイク９は、周囲の音声を集音する。マイク９が集音した音声信号は、ＤＳＰ５に出力される。ＤＳＰ５は、マイク５が集音した音声信号に、ノイズキャンセル、エコーキャンセルを行う。ノイズキャンセル、エコーキャンセルが行われた音声信号に基づいて、音声認識が行われる。なお、音声認識は、例えば、音声認識を有効とするためのトリガーワード（例えば、「ハロー、オンキヨー」）検出を含め、全てサーバーで行われてもよいし、トリガーワード検出のみ、ＤＳＰ５で行われてもよい。
【００３５】
表示部１０は、種々の画像（静止画像、動画像を含む）を表示する液晶パネル、電源のオン／オフを示すＬＥＤ等により構成されている。赤外線送信部１１は、テレビ１０１に対して、テレビ１０１を制御するためのリモコンコードを送信する。
【００３６】
以下、テレビ１０１のスピーカー１０２から音声が出力されているか否かを判断する処理動作について、図２に示すフローチャートに基づいて説明する。ＤＳＰ５は、マイク９により集音された音声と、スピーカー８からの出力音声と、を比較する（Ｓ１）。具体的には、ＤＳＰ５は、マイク９により集音された音声信号と、ＤＡＣ６に送っている音声信号と、を比較する。ＤＳＰ５は、マイク９により集音された音声と、スピーカー８からの出力音声と、が同一の信号であるか否かを判断する（Ｓ２）。ＤＳＰ５が、マイク９により集音された音声と、出力音声と、が同一の信号でないと判断した場合（Ｓ２：Ｎｏ）、マイク９により集音された音声は、ノイズであり、問題ないため、マイクロコンピューター２は、処理を終了する。
【００３７】
ＤＳＰ５は、マイク９により集音された音声と、出力音声と、が同一の信号であると判断した場合（Ｓ２：Ｙｅｓ）、音量差・音声遅延があるか否かを判断する（Ｓ３）。なお、ここで、ＤＳＰ５は、マイク９により集音された音声と、出力音声と、に音量差、及び、音声遅延があるか否かを判断しているが、音量差があるか否かのみを判断するようになっていてもよい。ＤＳＰ５が、マイク９により集音された音声と、出力音声と、に音量差・音声遅延がないと判断した場合（Ｓ３：Ｎｏ）、マイク９により集音された音声は、スピーカー８から出力された音声であり、問題ないため、マイクロコンピューター２は、処理を終了する。
【００３８】
ＤＳＰ５が、マイク９により集音された音声と、出力音声と、に音量差・音声遅延があると判断した場合（Ｓ３：Ｙｅｓ）、マイクロコンピューター２は、テレビ１０１のスピーカー１０２から音声が出力されないようにするための処理を行う（Ｓ４）。具体的には、マイクロコンピューター２は、表示部１０に、テレビ１０１のスピーカー１０２から音声が出力されていることを示すメッセージを表示することで、テレビ１０１のスピーカー１０２から音声が出力されていることをユーザーに報知する。例えば、「テレビのスピーカーから音声が出力されています。音量を小さくして下さい。」等のメッセージである。又は、マイクロコンピューター２は、赤外線送信部１１により、テレビ１０１のスピーカー１０２からの出力音量を下げるリモコンコード（コマンド）を送信する。例えば、マイクロコンピューター２は、赤外線送信部１１により、テレビ１０１のスピーカー１０２からの出力音量を無音とするリモコンコード（ミュート）を送信する。
【００３９】
以上説明したように、本実施形態では、マイクロコンピューター２は、ＤＳＰ５が、マイク９により集音された音声と、出力音声とが、同一の信号であり、且つ、音量差・音声遅延があると判断した場合、テレビ１０１のスピーカー１０２から音声が出力されないようにするための処理（メッセージの表示、音量低下）を行う。これにより、テレビ１０１のスピーカー１０２から音声が出力されることを防止することができる。このため、シンプルなエコーキャンセルでも、認識精度を下げずに、音声認識機能を使うことができる。
【００４０】
（第２実施形態）
第２実施形態でのバータイプスピーカー１の基本的な処理動作を、図３に示すフローチャートに基づいて説明する。ＤＳＰ５は、マイク９により集音された音声と、スピーカー８からの出力音声と、を比較する（Ｓ１１）。ＤＳＰ５は、スピーカー８からの出力音声以外のノイズがあるか否かを判断する（Ｓ１２）。ＤＳＰ５が、スピーカー８からの出力音声以外のノイズがないと判断した場合（Ｓ１２：Ｎｏ）、問題がないため、処理を終了する。ＤＳＰ５が、スピーカー８からの出力音声以外のノイズがあると判断した場合（Ｓ１２：Ｙｅｓ）、マイクロコンピューター２は、ノイズが低減されるようにするための処理を行う（Ｓ１３）。
【００４１】
具体的には、マイクロコンピューター２は、表示部１０に、ノイズの低減を促すメッセージを表示することで、スピーカー８からの出力音声以外のノイズがあることをユーザーに報知する。例えば、「本装置の出力音声以外のノイズが大きくなっています。ノイズを小さくして下さい。」等のメッセージである。又は、マイクロコンピューター２は、赤外線送信部１１により、テレビ１０１のスピーカー１０２からの出力音量を下げるリモコンコードを送信する。例えば、マイクロコンピューター２は、赤外線送信部１１により、テレビ１０１のスピーカー１０２からの出力音量を無音とするリモコンコード（ミュート）を送信する。
【００４２】
次に、スタンバイから電源オンとなる場合のバータイプスピーカー１の処理動作を、図４に示すフローチャートに基づいて説明する。ＤＳＰ５は、マイク９により集音された音声と、スピーカー８からの出力音声と、を比較する（Ｓ２１）。ＤＳＰ５は、スピーカー８からの出力音声以外のノイズがあるか否かを判断する（Ｓ２２）。ＤＳＰ５が、スピーカー８からの出力音声以外のノイズがないと判断した場合（Ｓ２２：Ｎｏ）、問題ないため、マイクロコンピューター２は、処理を終了する。ＤＳＰ５が、スピーカー８からの出力音声以外のノイズがあると判断した場合（Ｓ２２：Ｙｅｓ）、マイクロコンピューター２は、以下の処理を行う（Ｓ２３）。マイクロコンピューター２は、平均ノイズレベルを記録しておき、赤外線送信部１１により、テレビ１０１のスピーカー１０２からの出力音量を下げるリモコンコードを送信する。
【００４３】
次に、ＤＳＰ５は、スピーカー８からの出力音声以外のノイズがあるか否かを判断する（Ｓ２４）。ＤＳＰ５が、スピーカー８からの出力音声以外のノイズがないと判断した場合（Ｓ２４：Ｎｏ）、問題がないため、マイクロコンピューター２は、処理を終了する。ＤＳＰ５が、スピーカー８からの出力音声以外のノイズがあると判断した場合（Ｓ２４：Ｙｅｓ）、マイクロコンピューター２は、以下の処理を行う（Ｓ２５）。マイクロコンピューター２は、記録した平均ノイズレベルをリセットし、表示部１０に、ノイズの低減を促すメッセージを表示することで、スピーカー８からの出力音声以外のノイズがあることをユーザーに報知する。
【００４４】
次に、電源オンからスタンバイとなる場合のバータイプスピーカー１の処理動作を、図５に示すフローチャートに基づいて説明する。マイクロコンピューター２は、スピーカー８からの音声出力レベルを下げる（Ｓ３１）。マイクロコンピューター２は、起動時に記録しておいた平均ノイズレベルとなるように、テレビ１０１のスピーカー１０２からの出力音量を上げるリモコンコードを送信する（Ｓ３２）。次に、マイクロコンピューター２は、バータイプスピーカー１をスタンバイに移行させる（Ｓ３３）。
【００４５】
以上説明したように、本実施形態では、マイクロコンピューター２は、ＤＳＰ５が、出力音声以外のノイズがあると判断した場合、ノイズが低減されるようにするための処理（メッセージの表示、音量低下）を行う。これにより、ノイズを低減することができる。
【００４６】
また、本実施形態では、マイクロコンピューター２は、バータイプスピーカー１が電源オンからスタンバイとなる場合に、記録した平均ノイズレベルとなるように、テレビ１０１のスピーカー１０２からの出力音量を上げるコマンドをテレビ１０１に送信する。これにより、音声出力装置の使用が止められた後、下げられていたテレビ１０１の音量が元の音量に戻される。また、テレビ１０１の音量を戻すために、ハードウェアを追加する必要もない。
【００４７】
（第３実施形態）
第３実施形態でのバータイプスピーカー１の基本的な処理動作を、図６に示すフローチャートに基づいて説明する。ＤＩＲ４（検出部）は、テレビ１０１からの音声信号の入力の有無を検出する（Ｓ４１）。次に、ＤＩＲ４は、テレビ１０１からの音声信号の入力があるか否かを判断する（Ｓ４２）。ＤＩＲ４は、判断結果をマイクロコンピューター２に通知する。なお、ここでは、ＤＩ４がテレビ１０１からの音声信号の入力の有無を検出し、テレビ１０１からの音声信号の入力があるか否かを判断するようになっているが、ＤＳＰ５、又は、他の回路が、音声信号の入力の有無を検出し、音声信号の入力があるか否かを判断するようになっていてもよい。
【００４８】
ＤＩＲ４が、音声信号の入力がないと判断した場合（Ｓ４２：Ｎｏ）、マイクロコンピューター２は、処理を終了する。ＤＩＲ４が、音声信号の入力があると判断した場合（Ｓ４２：Ｙｅｓ）、マイクロコンピューター２は、以下の処理を行う（Ｓ４３）。マイクロコンピューター２は、赤外線送信部１１により、テレビ１０１のスピーカー１０２からの出力音量を下げるリモコンコードを送信する。
【００４９】
以上説明したように、本実施形態では、マイクロコンピューター２は、ＤＩＲ４が、音声信号の入力があると判断した場合、テレビ１０１のスピーカー１０２からの出力音量を下げるコマンドをテレビ１０１に送信する。これにより、テレビ１０１からの音声信号の入力がある場合、テレビ１０１のスピーカー１０２からも音声が出力されている可能性があるが、これが防止される。
【００５０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５１】
上述の実施形態においては、バータイプスピーカー１は、テレビ１０１のスピーカー１０２から出力される音量を、赤外線によるリモコンコードにより、制御していた。これに限らず、他の手段によって、テレビ１０１のスピーカー１０２から出力される音量が制御されていてもよい。
【００５２】
上述の第１及び第２実施形態においては、ＤＳＰ５が、信号の比較及び同一信号であるか否かの判断等と、ノイズキャンセル及びエコーキャンセルと、を行うようになっている。これに限らず、信号の比較及び同一信号であるか否かの判断等と、ノイズキャンセル及びエコーキャンセルと、は別のＤＳＰにより行われてもよい。
【００５３】
上述の実施形態においては、スピーカーを備える外部装置として、テレビを例示した。これに限らず、他の外部装置であってもよい。また、音声出力装置として、バータイプスピーカーを例示した。これに限らず、ＡＶレシーバー等の他の音声出力装置であってもよい。
【産業上の利用可能性】
【００５４】
本発明は、音声を出力する音声出力装置に好適に採用され得る。
【符号の説明】
【００５５】
１  バータイプスピーカー（音声出力装置）
２  マイクロコンピューター（制御部）
４  ＤＩＲ（検出部）
５  ＤＳＰ
８  スピーカー
９  マイク
１０  表示部
１１  赤外線送信部
１０１  テレビ（外部装置）
１０２  スピーカー
【図１】
2019129388.tif 000003
【図２】
2019129388.tif 000004
【図３】
2019129388.tif 000005
【図４】
2019129388.tif 000006
【図５】
2019129388.tif 000007
【図６】
2019129388.tif 000008